(57)【要約】【課題】構造が簡単で安価であると共に取り扱いが容易であり、簡単に連結したり解除したりできる条体端部用の連結具を提供する。【解決手段】二つの外筒１０、２０は、接続部１１、２１に内周溝１３、２３を備え、連結体３０は、バネ５１、５２を嵌め込んだ外周溝３３、３４を備えている。固定状態にある第１の外筒１０と連結体３０を離間状態にするために引き離すときの力が、固定状態にある第２の外筒２０と連結体３０を離間状態にするために引き離すときの力よりも大きな力を必要とする。【選択図】図３
2007202776.tif 000002
【特許請求の範囲】
【請求項１】
両端が棒状をなす一つの連結体と、一端に前記連結体の接続部を他端に条体端部の取付部を有する二つの外筒とからなる条体端部用の連結具であって、
前記連結体は、一端側の外面に第１のバネを嵌め込んだ第１の外周溝を備え、他端側の外面に第２のバネを嵌め込んだ第２の外周溝を備え、
前記第１の外筒の接続部は、前記連結体の一端側を差し込むための筒状をなすと共に前記第１のバネを受け入れて固定する内周溝を備え、
前記第２の外筒の接続部は、前記連結体の他端側を差し込むための筒状をなすと共に前記第２のバネを受け入れて固定する内周溝を備え、
前記第１の外筒と連結体を固定状態から離間状態にするために引き離すときの力が、前記第２の外筒と連結体を固定状態から離間状態にするために引き離すときの力よりも大きな力を必要とすることを特徴とする連結具。
【請求項２】
前記引き離すときの力の相違が、前記二つのバネの相違によることを特徴とする請求項１に記載の連結具。
【請求項３】
前記第１の外筒と前記第２の外筒とが同一形状であることを特徴とする請求項１又は２に記載の連結具。
【請求項４】
前記引き離す力の相違が、前記二つの外筒に設けられた内周溝の形状的相違によることを特徴とする請求項１に記載の連結具。
【発明の詳細な説明】
【技術分野】
【０００１】
本発明は、条体の端部を簡単に連結したり、簡単に解除したりできる条体端部用の連結具に関する。
【背景技術】
【０００２】
条体をなすネックレス等の端部同士を連結したり解除したりするために、条体端部用の連結具が用いられている。例えば、互いに螺合する雌雄のネジを備えた二つの部品からなる連結具がある。しかし、このような連結具は、連結時にネジがうまく噛み合わなかったり、何回も回転したりするために手間取ることが多いという問題がある。
【０００３】
また、引輪（クラスプ）と呼ばれる連結具は、一部がバネによって開閉するリングと、リングを引っ掛ける孔付き板とからなっている。しかし、このような連結具は、非常に取り扱い難い連結具であり、連結や解除が簡単にできないという問題がある。特に、小型のものは指先で操作を行うことが難しく、また、低コストで作られたものは精度が低いために動きが悪くなり、扱い難いことが多い。
【０００４】
これらに対して、特許文献１に記載されている連結具は、ピン体をハウジングに差し込むだけで簡単に連結状態とすることができ、また、係合体をハウジングに押し込むだけで簡単に解除状態とすることができる。しかし、このような連結具は、構造が複雑であると共に部品点数が多くなるために、製造コストが高いという問題がある。
【特許文献１】特開平９−８４６１３号公報
【発明の開示】
【発明が解決しようとする課題】
【０００５】
したがって、本発明の目的は、構造が簡単で製造コストが安価な条体端部用の連結具を提供することである。また、取り扱いが容易であり、簡単に連結したり解除したりできる連結具を提供することである。
【課題を解決するための手段】
【０００６】
上記の課題を解決するために、本発明の請求項１に係る連結具は、両端が棒状をなす一つの連結体と、一端に前記連結体の接続部を他端に条体端部の取付部を有する二つの外筒とからなる条体端部用の連結具であって、前記連結体は、一端側の外面に第１のバネを嵌め込んだ第１の外周溝を備え、他端側の外面に第２のバネを嵌め込んだ第２の外周溝を備え、前記第１の外筒の接続部は、前記連結体の一端側を差し込むための筒状をなすと共に前記第１のバネを受け入れて固定する内周溝を備え、前記第２の外筒の接続部は、前記連結体の他端側を差し込むための筒状をなすと共に前記第２のバネを受け入れて固定する内周溝を備え、前記第１の外筒と連結体を固定状態から離間状態にするために引き離すときの力が、前記第２の外筒と連結体を固定状態から離間状態にするために引き離すときの力よりも大きな力を必要とするという手段を採用している。
【０００７】
また、本発明の請求項２に係る連結具は、請求項１に記載の連結具において、前記引き離すときの力の相違が、前記二つのバネの相違によるという手段を採用している。また、本発明の請求項３に係る連結具は、請求項１又は２に記載の連結具において、前記第１の外筒と前記第２の外筒とが同一形状であるという手段を採用している。また、本発明の請求項４に係る連結具は、請求項１に記載の連結具において、前記引き離す力の相違が、前記二つの外筒に設けられた内周溝の形状的相違によるという手段を採用している。
【発明の効果】
【０００８】
本発明の条体端部用の連結具は、上記の手段を採用することにより以下のように機能することができる。まず、第１の外筒に連結体の一端側を差し込んで固定し（第１の状態）、この状態からさらに、第２の外筒に連結体の他端側を差し込んで固定する（第２の状態）。この第２の状態において、第１の外筒と第２の外筒とを引き離すように引っ張ると、第２の外筒が連結体の他端から離間して第１の状態に戻る。すなわち、本発明の連結具は、第１の状態（解除状態）と第２の状態（連結状態）とを繰り返して使用する連結具である。
【０００９】
したがって、本発明の連結具は構造が簡単であり、製造コストが安価である。また、取り扱いが非常に容易であり、第２の外筒に連結体の他端側を差し込むだけで簡単に連結状態とすることができ、第１の外筒と第２の外筒とを引き離すように引っ張るだけで簡単に解除状態とすることができる。
【発明を実施するための最良の形態】
【００１０】
以下、本発明の実施例を図１〜図３により説明するが、これらの図は本願発明を何ら限定するものではない。図１は本発明の連結具を示す概略平面図であり、図２は連結具の構成を示す断面図、図３は連結具の解除状態及び連結状態を示す断面図である。
【００１１】
本発明の連結具１は、図１に示すように、条体４０の端部に取り付けられる二つの外筒１０、２０と一つの連結体３０とからなっている。図１（ａ）は、上記の第１の状態（解除状態）を示しており、第１の外筒１０と連結体３０とは固定状態であるが、第２の外筒２０と連結体３０とは離間状態である。図１（ｂ）は、上記の第２の状態（連結状態）を示しており、第１の外筒１０と連結体３０とが固定状態であると共に、第２の外筒２０と連結体３０も固定状態である。なお、本発明において「条体」とは、糸状、縄状、紐状、帯状、線状、管状、鎖状等の総称であり、主に、人が身に付けるネックレス等に用いられるものをいう。
【００１２】
図２には、本発明の連結具１を構成する二つの外筒１０、２０及び連結体３０の断面が示されている。連結体３０の形状は、少なくとも両端が棒状をなすものであり、図のように全体が棒状であっても良い。なお、本発明において「棒状」とは、断面形状が円形、楕円形又は多角形等のものであり、外観的に板状であるものを含む。そして、連結体３０の構成は、一端側３１の外面に第１のバネ５１を嵌め込んだ第１の外周溝３３を備え、他端側３２の外面に第２のバネ５２を嵌め込んだ第２の外周溝３４を備えている。
【００１３】
バネ５１、５２は、一部が切欠されたリング状のバネである。第１のバネ５１は、その外径が連結体３０の一端側３１の外径よりも大きく、その内径が第１の外周溝３３の外径よりも大きい。同様に、第２のバネ５２は、その外径が連結体３０の他端側３２の外径よりも大きく、その内径が第２の外周溝３４の外径よりも大きい。したがって、外周溝３３、３４に嵌め込まれたバネ５１、５２は、圧縮力を加えることにより縮閉させることができる。
【００１４】
第１の外筒１０は、一端に連結体３０を接続する接続部１１を備え、他端に条体４０の端部を取り付ける取付部１２を備えている。接続部１１は、連結体３０の一端側３１を差し込むための筒状をなすと共に、その内面には第１のバネ５１を受け入れて固定する内周溝１３を備えている。接続部１１の内径は第１のバネ５１の外径よりも小さいので、連結体３０を差し込むと、第１のバネは圧縮力を受けて縮閉された状態で筒内に入る。
【００１５】
条体４０の端部を取り付ける取付部１２は、使用する条体４０の性状によって適切な形状を採用することになる。例えば、紐状の条体４０であれば、図に示すような筒状として圧入又は接着により取り付けることができる。また、鎖状の条体４０であれば、筒状部に細孔又はネジ孔を設け、ピン又はネジを用いて取り付けることができる。
【００１６】
また、第２の外筒２０は、第１の外筒１０と同様であり、一端に連結体３０を接続する接続部２１を備え、他端に条体４０の端部を取り付ける取付部２２を備えている。接続部２１は、連結体３０の他端側３２を差し込むための筒状をなすと共に、その内面には第２のバネ５２を受け入れて固定する内周溝２３を備えている。接続部２１の内径は第２のバネ５２の外径よりも小さいので、連結体３０を差し込むと、第２のバネは圧縮力を受けて縮閉された状態で筒内に入る。
【００１７】
また、条体４０の端部を取り付ける取付部２２は、同様に、使用する条体４０の性状によって適切な形状を採用することになる。例えば、紐状の条体４０であれば、図に示すような筒状として圧入又は接着により取り付けることができる。また、鎖状の条体４０であれば、筒状部に細孔又はネジ孔を設け、ピン又はネジを用いて取り付けることができる。
【００１８】
以上に述べたように、本発明の連結具１を構成する部品は、二つの外筒１０、２０と二つのバネ５１、５２を備えた一つの連結体３０のみであり、部品点数が非常に少ない。また、その構造も簡単であり、通常の機械加工により容易に製造することができる。したがって、安価な製造コストで製造することができる。
【００１９】
図３には、本発明の連結具１の解除状態（ａ）と連結状態（ｂ）が、断面図で示されている。
まず、第１の外筒１０の接続部１１に、連結体３０の一端側３１を差し込む。連結体３０の一端側３１に設けられた第１の外周溝３３には、第１のバネ５１が嵌め込まれている。ここで、第１のバネ５１の外径は、接続部１１の内径よりも大きいので、差し込まれる際に縮閉されることになる。
【００２０】
第１の外筒１０の接続部１１には内周溝１３が設けられており、接続部１１に差し込まれた第１のバネ５１を受け入れることができる。すなわち、差し込まれた第１のバネ５１は拡開する方向に付勢されているので、内周溝１３に到達すると拡開して内周溝１３に強固に固定される。このように、連結体３０に対して、第１の外筒１０が固定状態であり、第２の外筒２０が離間状態である場合が、本発明の連結具１の解除状態である（ａ）。
【００２１】
次に、第２の外筒２０の接続部２１に、連結体３０の他端側３２を差し込む。連結体３０の他端側３２に設けられた第２の外周溝３４には、第２のバネ５２が嵌め込まれている。ここで、第２のバネ５２の外径は、接続部２１の内径よりも大きいので、差し込まれる際に縮閉されることになる。
【００２２】
第２の外筒２０の接続部２１には内周溝２３が設けられており、接続部２１に差し込まれた第２のバネ５２を受け入れることができる。すなわち、差し込まれた第２のバネ５２は拡開する方向に付勢されているので、内周溝２３に到達すると拡開して内周溝２３に強固に固定される。このように、連結体３０に対して、第１の外筒１０と第２の外筒２０が共に固定状態である場合が、本発明の連結具１の連結状態である（ｂ）。
【００２３】
固定状態にある第１の外筒１０と連結体３０は、両者に引き離す力が与えられると、切り離されて離間状態となる。また、同様に、固定状態にある第２の外筒２０と連結体３０は、両者に引き離す力が与えられると、切り離されて離間状態となる。そして、第１の外筒１０と連結体３０を固定状態から離間状態にするために引き離すときの力が、第２の外筒２０と連結体３０を固定状態から離間状態にするために引き離すときの力よりも大きな力を必要とするようにしている。
【００２４】
このように、離間するために必要な力を相違させることが、本発明の連結具１の特徴である。すなわち、上記の連結状態において、第１の外筒１０と第２の外筒２０を引っ張って引き離すと、必ず、第２の外筒２０の方が離間して解除状態に戻るのである。したがって、図３（ａ）及び（ｂ）に示される解除状態と連結状態とを繰り返すことができる。
【００２５】
引き離す力を相違させるには種々の方法がある。その一つは、バネの相違による方法である。すなわち、バネの材質、製法、又は太さ等を変えることにより、引き離す力を変えることができる。特に、形状が同じで弾性係数の異なるバネを使用すると、第１の外筒１０と第２の外筒２０とを同一形状とすることができるので製造工程が簡略化される。
【００２６】
また、同一のバネを使用した場合でも、内周溝１３、２３の形状を変えることによって、引き離す力を相違させることができる。例えば、内周溝の深さを変えると、浅い溝の方が深い溝の場合よりも弱い力で離間することになる。さらに、同じ深さの溝であっても、バネが出入りする縁部の角度を変えることによっても、相違させることができる。
【００２７】
以上に述べたように、本発明の連結具１は、第１の外筒１０と連結体３０の一端側３１とを固定状態とした上で、連結体３０の他端側３２を第２の外筒２０に差し込んだり、引き離したりすることにより、連結状態と解除状態とを繰り返すものである。したがって、取り扱いが容易であり、簡単に連結したり解除したりすることができる。
【図面の簡単な説明】
【００２８】
【図１】本発明の連結具の一例を示す概略平面図である。
【図２】同連結具の構成を示す断面図である。
【図３】同連結具の解除状態及び連結状態を示す断面図である。
【符号の説明】
【００２９】
１      連結具
１０    第１の外筒
１１、２１    接続部
１２、２２    取付部
１３、２３    内周溝
２０    第２の外筒
３０    連結体
３１    一端側
３２    他端側
３３    第１の外周溝
３４    第２の外周溝
４０    条体
５１    第１のバネ
５２    第２のバネ
【図１】
2007202776.tif 000003
【図２】
2007202776.tif 000004
【図３】
2007202776.tif 000005